(57)【特許請求の範囲】
【請求項１】
リブ付き管の差口外周に止水用ゴム輪とともに装着される屈曲防止リングであって、内層部に前記止水用ゴム輪よりも硬い硬質芯部材を配し、その表面を前記止水用ゴム輪よりも柔らかな軟質材からなる外層部で被覆し一体化させて成形されていることを特徴とする屈曲防止リング。
【請求項２】
屈曲防止リングの外周面部と側面部の間にテーパ面部が設けられていることを特徴とする請求項１に記載の屈曲防止リング。
【請求項３】
屈曲防止リングの外径は、リブ付き管の受口の内径よりも大きく、且つ止水用ゴム輪の外径よりも小さく設けられていることを特徴とする請求項１又は２に記載の屈曲防止リング。
【請求項４】
請求項１〜３の何れかに記載の屈曲防止リングを用いて、一側を差口、他側を前記差口よりも大径の受口としたリブ付き管の端部同士を接続する構造において、
リブ付き管の差口の外周に止水用ゴム輪と前記屈曲防止リングを、両部材間に一つ以上のリブが配置されるように隔て、且つ止水用ゴム輪が差口先端側となるように配置して装着し、
前記リブ付き管の差口を接続相手方のリブ付き管の受口に挿入し、当該受口内周面に前記止水用ゴム輪と屈曲防止リングの外周面を圧接させて両管の端部同士を接続するリブ付き管の接続構造。
【発明の詳細な説明】
【技術分野】
【０００１】
本発明は、外面に周方向リブが突設されてなる合成樹脂製のリブ付き管の端部同士を接続するにあたり、接続される管の直線性を保持するために接続部位に装着される屈曲防止リングに関する。
【背景技術】
【０００２】
リブ付き管を地中に埋設して下水管路を構成する場合に、リブ付き管の端部同士が屈曲した状態で接続されて管路が蛇行するような事態になることを防止するため、リブ付き管の接合端部に止水用ゴム輪とともに屈曲防止リングを装着して両管の端部同士を接続することが行われている。
【０００３】
これは、図４に示されるように、止水用ゴム輪１０１よりも硬質な合成樹脂材や金属材により略Ｃ字形に成形された屈曲防止リング１０２を、リブ付き管１００の端部である差口１００Ａのリブ１００ａ、１００ａの間に止水用ゴム輪１０１とともに装着し、この差口１００Ａを接続相手方のリブ付き管１００の端部である受口１００Ｂに差し込んで受口１００Ｂの内部に屈曲防止リング１０２が圧入する位置まで挿入し、止水用ゴム輪１０１と屈曲防止リング１０２の二つの輪状部材の外周面が受口１００Ｂの内周面に圧接することで差口１００Ａが受口１００Ｂ内で屈曲することを防止し、リブ付き管１００、１００の接続管路が真っ直ぐに保持されるようにしたものである（例えば特許文献１、２参照）。
【先行技術文献】
【特許文献】
【０００４】
【特許文献１】特開２００１−２０８２５５号公報
【特許文献２】特開２００８−２８０８４５号公報
【発明の概要】
【発明が解決しようとする課題】
【０００５】
差口１００Ａと受口１００Ｂの接合端部に止水用ゴム輪１０１と屈曲防止リング１０２を装着してリブ付き管１００、１００を接続する場合に、接続管路が真っ直ぐに保持されるようにするには、止水用ゴム輪１０１及び屈曲防止リング１０２が弾性変形することなく差口１００Ａと受口１００Ｂの内外周面の圧接位置に固定されるようにする必要があり、そのためには屈曲防止リング１０２を止水用ゴム輪１０１よりも剛性を高く設ける必要がある。
しかし、前記従来の屈曲防止リング１０２のように、単に止水用ゴム輪１０１よりも硬質な合成樹脂材や金属材により成形したものでは、屈曲防止リング１０２の弾性が低いため、リブ付き管１００の差口１００Ａへの装着が困難であり、装着のため屈曲防止リング１０２を拡径方向に無理に弾性変形すると元の形状に戻らず、変形状態のままで装着されて差口１００Ａと受口１００Ｂを偏芯させて接続してしまうことがあった。また、屈曲防止リング１０２は差口１００Ａと受口１００Ｂの内外周面間に圧接する寸法に設けてあるため、差口１００Ａを受口１００Ｂに接続する際に、管軸がずれないように注意しながら止水用ゴム輪１０１と屈曲防止リング１０２を装着した差口１００Ａを受口１００Ｂ内に強く押し込まなければならず、接続作業も手間を要するものであった。
【０００６】
本発明は従来技術の有するこのような問題点に鑑み、リブ付き管の接合端部に止水用ゴム輪とともに装着される屈曲防止リングにおいて、リブ付き管の端部への装着などの取り扱いが簡便であり、リブ付き管の端部同士を屈曲させることなく堅固に固定して接続することができるようにすることを課題とする。
【課題を解決するための手段】
【０００７】
前記課題を解決するための本発明は、リブ付き管の差口外周に止水用ゴム輪とともに装着される屈曲防止リングであって、内層部に前記止水用ゴム輪よりも硬い硬質芯部材を配し、その表面を前記止水用ゴム輪よりも柔らかな軟質材からなる外層部で被覆し一体化させて成形されていることを特徴とする。
【０００８】
前記構成において、止水用ゴム輪とともに屈曲防止リングが装着されたリブ付き管の差口を接続相手側のリブ付き管の受口に容易に差し込めるようにするため、  屈曲防止リングはその外周面部と側面部の間にテーパ面部が設けられていることが好ましい。
【０００９】
また、差口を受口内に挿入した状態で、両口の内外周面に屈曲防止リングが圧密に接合して揺動不能に固定されるようにするため、屈曲防止リングの外径は、リブ付き管の受口の内径よりも大きく、且つ止水用ゴム輪の外径よりも小さく設けられていることが好ましい。
【００１０】
また、前記構成の屈曲防止リングを用い、一側を差口、他側を前記差口よりも大径の受口としたリブ付き管の端部同士を接続する構造は、リブ付き管の差口の外周に止水用ゴム輪と前記屈曲防止リングを、両部材間に一つ以上のリブが配置されるように隔て、且つ止水用ゴム輪が差口先端側となるように配置して装着し、前記リブ付き管の差口を接続相手方のリブ付き管の受口に挿入し、当該受口内周面に前記止水用ゴム輪と屈曲防止リングの外周面を圧接させて両管の端部同士を接続することを特徴とする。
【００１１】
これによれば、リブ付き管の差口の外周に止水用ゴム輪と屈曲防止リングを装着し、これを接続相手方のリブ付き管の受口に挿入すれば、両口の内外周面に止水用ゴム輪と屈曲防止リングが圧縮状態で接し、両口の間に管路が屈曲する原因となる隙間がなくなり、一つ以上のリブを隔てて配置され、且つ差口と受口の内外周面沿って輪状に圧接した止水用ゴム輪と屈曲防止リングによって両口が支持されて、管路が屈曲することを防止することができる。この場合、屈曲防止リングを、その外径をリブ付き管の受口の内径よりも大きく、且つ止水用ゴム輪の外径よりも小さく設定して形成することにより、差口を受口に挿入した状態で、差口を受口に差し込む際の反力と同等以上の反力を奏して両口に圧接し、差口は受口内で屈曲することなく、受口の中央に固定されることとなる。
【００１２】
屈曲防止リングは、硬質芯部材からなる内層部を軟質材からなる外層部で被覆して形成されているので、これを弾性変形させて差口の外周に容易に装着可能であり、また、差口に装着した状態でこれを受口に押し込めば、受口内周面から押圧力を受けて外層部が弾性変形し、受口内の所定の位置まで差口を容易に差し込むことが可能である。屈曲防止リングは、その内層部である硬質芯部材は止水用ゴム輪よりも硬い材料、例えば合成ゴム、或いは塩化ビニル、ポリピレンなどの合成樹脂材を用い、外層部は止水用ゴム輪よりも柔らかな材料、例えば合成ゴムやポリプロピレンなどの合成樹脂材を用いて形成することができる。
【図面の簡単な説明】
【００１３】
【図１】本発明の一実施形態の屈曲防止リングを差口に装着したリブ付き管と接続相手方のリブ付き管の受口の下半面を破断して示した外観図である。
【図２】図１の屈曲防止リングの（Ａ）は正面図、（Ｂ）はＢ−Ｂに沿う縦断面図、（Ｃ）はＣ−Ｃ線に沿う切断端面図である。
【図３】図１の屈曲防止リングを装着して接続したリブ付き管の接合端部の断面図である。
【図４】（Ａ）は従来の屈曲防止リングの外観斜視図、（Ｂ）は従来の屈曲防止リングを装着して接続したリブ付き管の接合端部の断面図である。
【発明を実施するための形態】
【００１４】
本発明の好適な一実施形態を図面を参照して説明する。
図１に示されるように、リブ付き管１、１は適宜な長さの円管状をなし、その外面に周方向に沿って突出した多数のリブ１１が管軸方向の全長に亘って所定間隔を開けて列設され、一端部に差口１Ａ、他端部に差口１Ａが内嵌合する大きさに開口した大径の受口１Ｂをそれぞれ設けて形成してある。
【００１５】
止水用ゴム輪２は、差口１Ａの外面のリブ１１、１１間に装着されるゴム輪であり、差口１Ａを受口１Ｂ内に挿入した状態で両口の内外周面で圧縮されて、両面間の隙間をシールするものである。
【００１６】
屈曲防止リング３は、図２に示されるように、周方向の一部を欠損したＣ字形をなし、その内層部３１を止水用ゴム輪２よりも硬い硬質芯部材により形成し、この内層部３１の表面を止水用ゴム輪２よりも柔らかな軟質な合成樹脂材からなる外層部３２で被覆し一体化させて形成してある。
より詳しくは、屈曲防止リング３は、例えば塩化ビニル樹脂材を芯材とし、その表面を合成ゴムでプレス成形するなどして形成され、その外径（ＯＤ３）を、リブ付き管の受口の内径（ＩＤ）よりも大きく、且つ止水用ゴム輪の外径（ＯＤ２）よりも小さく設定し（図１参照）、また、その断面を前記リブ１１、１１間に嵌入可能な幅の台形状に設けるとともに、その外周面部３ａと側面３ｂ部の間にテーパ面部３ｃを設けて形成してある。
【００１７】
このような屈曲防止リング３を用いてリブ付き管１、１の端部同士を接続するには、先ず、リブ付き管１の差口１Ａの外周に止水用ゴム輪２と屈曲防止リング３を、両部材間に一つ以上のリブ１１が配置されるように隔て、止水用ゴム輪２が差口一Ａの先端側となるように配置して装着する。この際、屈曲防止リング３は内層部３１が止水用ゴム輪２よりも硬く高い剛性を有するものの、外層部３２を止水用ゴム輪２よりも柔らからな材料により形成してあるので適度な弾性を備え、拡径方向に弾性変形させて差口１Ａの外周に容易に装着することが可能である。
【００１８】
次いで、止水用ゴム輪２とともに屈曲防止リング３が装着された前記差口１Ａを接続相手方のリブ付き管１の受口１Ｂに、屈曲防止リング３が受口１Ｂの内周面に圧接する位置まで挿入する。この際、差口１Ａを受口１Ｂ内に押し込めば、先ず止水用ゴム輪２の外周、次いで屈曲防止リング３のテーパ面部３ｃの表面がそれぞれ受口１Ｂの内周面に接し、両部材は縮径方向の押圧力を受けて圧縮しながら挿入され、受口１Ｂの内周面に止水用ゴム輪２の外周面と屈曲防止リング３の外周面部３ａが圧接し、両口間を隙間なく密閉する。
【００１９】
このように差口１Ａを受口１Ｂに挿入すれば、両口の内外周面に止水用ゴム輪２と屈曲防止リング３が圧縮状態で接し、両口の間に管路が屈曲する原因となる隙間がなくなり、差口１Ａと受口１Ｂの内外周面沿って輪状に圧接した止水用ゴム輪２と屈曲防止リング３の二つの部材によって両口が支持され、管路が屈曲することを効果的に防止することができる。
【００２０】
なお、図示してリブ付き管１、止水用ゴム輪２及び屈曲防止リング３の形態は一例であり、本発明は図示した形態に限定されず、他の適宜な形態に構成可能である。
【符号の説明】
【００２１】
１  リブ付き管、１１  リブ、１Ａ  差口、１Ｂ  受口、２  止水用ゴム輪、３  屈曲防止リング、３１  内層部、３２  外層部、３ａ  外周面部、３２  側面部、３３  テーパ面部
【図１】
0005514502.tif 000002
【図２】
0005514502.tif 000003
【図３】
0005514502.tif 000004
【図４】
0005514502.tif 000005